(57)【要約】      （修正有）【課題】デジタルテレビジョン放送番組の視聴、および他の映像／音声情報の視聴が可能な放送受信装置であって、受信装置の使用者が番組表の表示を支持したのちも、デジタルテレビジョン放送の番組を視聴可能とする、放送受信装置を提供する。【解決手段】デジタルテレビジョン放送におけるデジタル放送信号に対応する映像や音声が出力されていないと判断された時に、受信可能なデジタル放送信号を順次受信し、受信したデジタル放送信号から文字情報データを抽出し、この文字情報データが記憶手段に記憶される構成として上記問題を解決した。【選択図】図１
2007013559.tif 000002
【特許請求の範囲】
【請求項１】
外部からのデジタル放送信号を受信する受信手段と、
前記受信手段が受信するデジタル放送信号を選択する、チャンネル選択手段と、
前記受信手段によって受信されたデジタル放送信号から映像データ、音声データ、および文字情報データを抽出する、信号復調手段と、
該デジタル放送信号に対応する映像データ、音声データ及び／または文字情報データを映像及び／または音声として出力する出力手段と、
前記出力手段が該デジタル放送信号に対応する該映像及び／または該音声を出力しているかどうかを判断する、出力判定手段と、
前記出力手段が該デジタル放送信号に対応する該映像や該音声を出力していないと前記出力判定手段が判断した時に、受信可能なデジタル放送信号を順次受信し、受信したデジタル放送信号から該文字情報データを抽出するよう、前記受信手段、前記チャンネル選択手段および前記信号復調手段を制御する、文字情報サーチ手段と、
前記文字情報サーチ手段によって取得された文字情報データを記憶する、記憶手段と、
前記記憶手段および前記出力手段を制御して、前記記憶手段に記憶された文字情報データを前記出力手段を介して出力する、文字情報表示制御手段と、
を有する、放送受信装置。
【請求項２】
前記放送受信装置は、移動体に設置されている、ことを特徴とする請求項１に記載の放送受信装置。
【請求項３】
該文字情報データは、該文字情報データに対応する放送チャンネルの番組情報である、ことを特徴とする請求項１または２に記載の放送受信装置。
【請求項４】
所定時間ごとに前記文字情報サーチ手段を動作させる、文字情報サーチ制御手段をさらに有する、請求項１から３のいずれかに記載の放送受信装置。
【請求項５】
該所定時間を変更する、文字情報サーチ設定手段をさらに有する、請求項４に記載の放送受信装置。
【請求項６】
該デジタル放送信号以外の放送信号を受信するための副受信手段をさらに有する、請求項１から５のいずれかに記載の放送受信装置。
【請求項７】
前記文字情報サーチ手段は、前記副受信手段が受信した放送信号に対応する映像及び／または音声が前記出力手段によって出力されている時に、受信可能なデジタル放送信号から該文字情報データを抽出する、ことを特徴とする請求項６に記載の放送受信装置。
【請求項８】
前記出力手段によって出力可能な映像及び／または音声データが記録された記録媒体をさらに有し、
前記文字情報サーチ手段は、前記記録媒体に記録されたデータに対応する映像及び／または音声が前記出力手段によって出力されている時に、受信可能なデジタル放送信号から該文字情報データを抽出する、ことを特徴とする請求項１から７のいずれかに記載の放送受信装置。
【請求項９】
該放送信号は直交周波数多重分割変調されている、ことを特徴とする請求項１から８のいずれかに記載の放送受信装置。
【発明の詳細な説明】
【技術分野】
【０００１】
本発明は、放送信号を受信し、この放送信号を映像及び／または音声として出力する放送受信装置に関する。
【背景技術】
【０００２】
近年、衛星デジタル放送や地上波デジタル放送が利用され始めている。このデジタル放送においては、映像や音声をデジタル形式で送信可能とするために、大量のデジタルデータを配信できるようになっている。このデジタル放送の特徴を利用して、電子番組ガイド（ＥＰＧ）を映像・音声と共に配信可能となっている。
【０００３】
ＥＰＧとは、ある放送のチャンネルにおける放送信号に埋め込まれている番組表データ（ＥＰＧデータ）等の文字情報データを、デジタル放送の受信装置が読み取って、これを受信装置の使用者の操作によって画面上に表示可能とするサービスである。このような受信装置としては、例えば特許文献１に記載のものがある。受信装置の使用者は、リモコン操作等によって所望の放送チャンネルを選択し、さらにこのチャンネルの番組表の表示を指示することによって、所望のチャンネルの番組表を取得することが可能である。
【特許文献１】特開２００４−２００７９７
【０００４】
また、受信装置の種類によっては、受信可能な全てのチャンネル、またはその中の任意の複数のチャンネルについてＥＰＧデータを取得し、取得したＥＰＧデータから複数のチャンネルの番組表を受信装置から出力させ、これを受信装置に接続されているモニタに表示させることができる。しかしながら、上記のような構成の受信装置においては、複数のチャンネルから文字情報データを取得している間は、受信装置の使用者は、放送番組を視聴できないという問題があった。
【発明の開示】
【発明が解決しようとする課題】
【０００５】
上記の問題に鑑み、本発明は、使用者が番組表の表示を指示したのちも、デジタルテレビジョン放送の番組を視聴可能とする、放送受信装置を提供することを目的とする。
【課題を解決するための手段】
【０００６】
上記の目的を達成するため、本発明の放送受信装置においては、デジタル放送信号に対応する映像や音声が出力されていないと判断された時に、受信可能なデジタル放送信号を順次受信し、受信したデジタル放送信号から文字情報データを抽出し、この文字情報データが記憶手段に記憶される。記憶手段に記憶された文字情報データは、放送受信装置の使用者の操作等によって、モニター等に表示可能である。
【０００７】
また、受信可能なデジタル放送信号を順次受信してこれから文字情報データを抽出する文字情報サーチ手段を所定時間ごとに動作させる構成としてもよい。また、この所定時間を変更する、文字情報サーチ設定手段をさらに有する構成としてもよい。
【０００８】
さらに、放送受信装置が、デジタル放送信号以外の放送信号を受信するための副受信手段をさらに有する構成としてもよい。ここで、文字情報サーチ手段は、副受信手段が受信した放送信号に対応する映像及び／または音声が出力されている時に、受信可能なデジタル放送信号から該文字情報データを抽出するようになっている。すなわち、本構成においては、放送受信装置は起動済であるが、デジタル放送以外の放送が視聴されている間に、文字情報データの取得をバックグランドで実施可能である。特に、放送受信装置が自動車に設置されるものである場合は、放送受信装置の電源を自動車のバッテリーから取るようになっており、電力の節約のために放送受信装置未使用時には放送受信装置の電源がオフとなる構成が一般的である。本構成の放送受信装置によれば、放送受信装置が使用中であって、且つデジタル放送以外の放送が視聴されている（すなわち、デジタル放送の受信および文字情報データの抽出のための各手段は使用されていない）時に、文字情報の抽出と記憶が行われる。従って、放送受信装置の未使用時に電源を切るような構成であっても、文字情報データの取得が適宜行われる。
【０００９】
代替または追加として、放送受信装置が映像及び／または音声データが記録された記録媒体（コンパクトディスク等）をさらに有し、この記録媒体に記録されたデータに対応する映像及び／または音声が出力されている時に、受信可能なデジタル放送信号から該文字情報データを抽出する構成としてもよい。
【発明の効果】
【００１０】
以上のように、本発明によれば、デジタル放送を視聴していない間に複数のチャンネルから番組表の取得が行われ、これが記憶手段に保存される。放送受信装置の使用者が、番組表の閲覧を希望する場合は、記憶手段に保存されたデータを用いて番組表が表示される。従って、本発明によれば、放送受信装置の使用者は、デジタル放送を視聴しながら、他のチャンネルのものを含む番組表等の文字情報を確認することが可能となる。
【発明を実施するための最良の形態】
【００１１】
以下、図面を用いて本発明の実施形態に付き説明する。図１は、本実施形態の放送受信装置の構成を示すブロック図である。本実施形態の放送受信装置１は、地上波デジタルテレビジョン放送およびアナログラジオ放送の受信および、ＤＶＤの再生を行うことができる。また、本実施形態の放送受信装置１は自動車に設置される車載用放送受信装置である。
【００１２】
放送受信装置１による、地上波デジタルテレビジョン放送の受信機構に付き、以下説明する。地上波デジタルテレビジョン放送の放送信号はデジタル放送用アンテナ１１によって受信される。受信された放送信号のうち、放送受信装置１の使用者によって選択されたチャンネルがデジタルチューナー１２によって選択され、選択された放送信号がＯＦＤＭ部１３に送られる。使用者によるチャンネルの選択は、使用者がコントロールパネル２４を操作することによって実施される。
【００１３】
地上波デジタルテレビジョン信号は、直交周波数多重分割変調されたＯＦＤＭ信号であり、ＯＦＤＭ部１３はこのＯＦＤＭ信号を復調して音声／映像信号であるＭＰＥＧデータと、文字情報データであるＥＰＧデータとを抽出可能である。抽出されたＭＰＥＧデータは、ＭＰＥＧ部１４に送られる。
【００１４】
ＭＰＥＧ部１４では、ＭＰＥＧデータの復号が行われる。復号されたデータのうち、映像情報は画像合成回路２３に送られる。画像合成回路２３は、この映像情報にＥＰＧデータから生成される番組表画像を必要に応じて合成し、映像出力端子に出力する。番組表を映像情報に重ね合わせるかどうかは、放送受信装置１の使用者がコントロールパネル２４を適宜操作することによって切換可能である。
【００１５】
また、ＭＰＥＧ部１４で復号されたデータのうち、音声情報は音声出力端子に出力される。
【００１６】
通常、映像出力端子にはモニターが、音声出力端子にはスピーカーが接続されており、放送受信装置１の使用者は、このモニターおよびスピーカーを介して所望のチャンネルのデジタルテレビジョン放送番組を視聴可能である。
【００１７】
アナログラジオ放送の放送信号はアナログ放送用アンテナ３１によって受信される。受信された放送信号のうち、放送受信装置１の使用者によって選択されたチャンネルがアナログチューナー３２によって選択され、選択された放送信号から音声情報が抽出される。この音声信号は音声出力端子に送られる。従って、放送受信装置１の使用者は、選択したチャンネルのラジオ放送を聴くことができる。なお、使用者によるチャンネルの選択は、使用者がコントロールパネル２４を操作することによって実施される。
【００１８】
また、放送受信装置１の使用者は、ＤＶＤプレイヤー３３に所望のＤＶＤをセットし、これを再生することができる。ＤＶＤプレイヤー３３の操作は、使用者がコントロールパネル２４を操作することによって実施される。
【００１９】
地上波デジタルテレビジョン放送、アナログラジオ放送、ＤＶＤ映像のいずれを使用者が視聴するかは、使用者がコントロールパネル２４を操作することによって選択される。
【００２０】
本実施形態における、番組表抽出処理に付き、以下説明する。図２は、マイコン２１によって実行される、ＥＰＧデータ抽出処理の動作フローである。本フローは、放送受信装置１の電源が投入された直後、または放送受信装置１の使用者がコントロールパネル２４を操作して、アナログラジオ放送またはＤＶＤの視聴を選択した際に実行される。なお、本フローにおいては変数タイマカウンタを使用するが、この変数の初期値は０である。
【００２１】
本フローが実行されると、ステップＳ１が実施される。ステップＳ１では、現在の視聴モードがデジタルテレビジョン放送視聴モードであるかどうかの確認が行われる。本実施形態においては、デジタルテレビジョン放送を視聴している際は番組表の抽出は行われない。従って、現在の視聴モードがデジタルテレビジョン放送視聴モードである場合は（Ｓ１：ＹＥＳ）、本フローは終了する。一方、デジタルテレビジョン放送視聴以外のモードが選択されている場合は（Ｓ１：ＮＯ）、ステップＳ２に進む。
【００２２】
ステップＳ２では、現在のタイマカウンタの値が所定値Ｘを超えたか否かの判定が行われる。タイマカウンタの値が所定値Ｘを越えていないのであれば（Ｓ２：ＮＯ）、ステップＳ３に進んでタイマカウンタのカウントアップを行ったのち、ステップＳ１に戻る。一方、タイマカウンタの値が所定値Ｘを越えたのであれば（Ｓ２：ＹＥＳ）、ステップＳ４に進む。すなわち、本フローにおいては、使用者によってデジタルテレビジョン放送の視聴が選択されない限り、タイマカウンタが所定値を越えるまでカウントアップが行われ続けることになる、なお、ステップＳ３の実行頻度と所定値Ｘは、タイマカウンタの値が０からＸに変化するまでの時間が約１分となるように設定されている。
【００２３】
ステップＳ４では、所定の条件を満たしたＥＰＧデータ（例えば現在時刻から１時間後までの番組表データ）がメモリー２２に保存済であるかどうかの確認が行われる。ＥＰＧデータが既に保存済であるならば（Ｓ４：ＹＥＳ）、ステップＳ８に進む。一方、所定の条件を満たしたＥＰＧデータがメモリーに保存されていないのであれば（Ｓ４：ＮＯ）、ステップＳ５に進む。
【００２４】
ステップＳ５では、受信可能な地上波デジタルテレビジョンのチャンネルを特定するためのサーチ動作が行われる。次いで、ステップＳ６に進む。
【００２５】
ステップＳ６では、ＥＰＧデータの更新をすべきかどうかのメッセージをモニター上に表示し、使用者からの入力を受け付ける。使用者は、コントロールパネル２４を操作して、ＥＰＧデータの更新を行うかどうかの選択を行う。ＥＰＧデータの更新を行わないことが選択されたのであれば（Ｓ６：ＮＯ）、ステップＳ８に進む。一方、ＥＰＧデータの更新を行うことが選択されたのであれば（Ｓ６：ＹＥＳ）、ステップＳ７に進む。
【００２６】
ステップＳ７では、受信可能な全てのチャンネルの各々について、ＥＰＧデータの抽出が行われ、抽出されたＥＰＧデータがメモリー２２に保存される。次いでステップＳ８に進む。この時、現在の時刻から３時間後までの番組表に相当するＥＰＧデータが取得される。
【００２７】
ステップＳ８では、タイマカウンタのリセットが行われ、カウンタの値が０になる。次いで、ステップＳ１に戻る。
【００２８】
以上のように、本フローにおいては、ＥＰＧデータが取得されていなければ、２時間おきにＥＰＧデータの更新が行われるようになっている。また、その時使用者にＥＰＧデータの更新を行うべきかどうかを問い合わせるようになっている。
【００２９】
以上のフローにて取得されたＥＰＧデータは、番組表画像の生成に使用される。すなわち、使用者が地上波デジタルテレビジョン放送を視聴している際は、使用者がコントロールパネル２４を操作することによって、ＥＰＧデータがメモリー２２から読み出され、受信可能な全てのチャンネル若しくは任意の複数のチャンネルに対する番組表が画像として生成され、画像合成回路２３に送られる。画像合成回路２３は、ＭＰＥＧ部１４によって逐次生成されている映像情報にこの番組表画像を重ね合わせ、映像出力端子に出力する。従って、モニター上には、地上波テレビジョン放送に番組表が重ね合わせられた映像が表示される。
【００３０】
以上のように、本実施形態によれば、デジタルテレビジョン放送を視聴していない時に予め取得したＥＰＧデータを用いて番組表の生成が行われるため、複数の番組表を表示させるたびに複数のチャンネルの走査が行われることがない。そのため、番組表の表示を使用者が支持してから番組表が実際に表示されるまでの間も、デジタルテレビジョン放送の視聴が可能である。
【００３１】
また、ＥＰＧデータの取得は、放送受信装置１が起動しているがデジタルテレビジョン放送を視聴していない時に行われる。放送受信装置１は、自動車のバッテリーを電源とする車載用の放送受信装置であり、不使用時には電源オフとなっているものである。このような車載用の放送受信装置であっても、本実施形態の構成であれば、予めＥＰＧデータを取得しておくことができる。
【図面の簡単な説明】
【００３２】
【図１】本実施形態の放送受信装置の構成を示すブロック図である。
【図２】本実施形態におけるＥＰＧデータ抽出処理の動作フローである。
【符号の説明】
【００３３】
１    放送受信装置
１１    デジタル放送用アンテナ
１２    デジタルチューナー
１３    ＯＦＤＭ部
１４    ＭＰＥＧ部
２１    マイコン
２２    メモリー
２３    画像合成回路
２４    コントロールパネル
３１    アナログ放送用アンテナ
３２    アナログチューナー
３３    ＤＶＤプレイヤー
【図１】
2007013559.tif 000003
【図２】
2007013559.tif 000004